(57)【特許請求の範囲】
【請求項１】
展示スペース内の両端部付近で支持される冷却パイプを備える冷蔵ショーケースにおいて、
展示スペースの中間部で天井部材を支えるフレームに冷却パイプを上方に弾性変形させた状態で支持するための支持手段を備えることを特徴とする冷蔵ショーケース。
【請求項２】
前記支持手段は所定の間隔を有する一対の支持板を備え、それぞれの支持板が冷却パイプを支持することを特徴とする請求項１に記載の冷蔵ショーケース。
【発明の詳細な説明】
【０００１】
【発明の属する技術分野】
この発明は、冷蔵ショーケースに関し、特に展示スペース内の冷却パイプの支持構造に関する。
【０００２】
【従来の技術】
図１１に従来の冷蔵ショーケースの全体図を示す。冷蔵ショーケースには、食材を冷蔵保存しながら展示する展示スペース１及び展示スペース１を冷却するためのコンプレッサーやコンデンサ等の冷凍回路構成部品が収納されている機械室２が互いに隣接して設けられている。展示スペース１の前部から前上部には透明なフロントガラス５が嵌め込まれ、ショーケースの前側即ち客側からフロントガラス５を通して収納された食材が見えるようになっている。また、展示スペース１の後部中央にはセンターフレーム９が設けられ、センターフレーム９は展示スペース１の後部上方に設けられた天井部材６の中央を支持すると共に左右にそれぞれ開閉自在に設けられた一対の透明なスライド扉１０のストッパ機能を有している。透明なスライド扉１０を通して、ショーケースの後側即ち板前等の店員側から収納された食材が見えると共にスライド扉１０を開けて展示スペース１内の食材の出し入れを行うように構成されている。
【０００３】
図１２に示されるように、展示スペース１内にはＵ字形状に屈曲された冷却パイプ３が展示スペース１の長さ方向に沿って配置されており、機械室２との間を仕切る隔壁１１を貫通して機械室２内に収納されている冷凍回路構成部品に接続され、冷凍回路の一部を構成している。この冷却パイプ３は、隔壁１１を貫通する貫通部３ａ及び３ｂで固定されると共に機械室２とは反対側の端部を覆う端壁４の近傍においてその折り返し部３ｃが固定具８により天井部材６に固定されている。すなわち、冷却パイプ３は展示スペース１内の両端部付近で３点支持されている。
このような冷却パイプ３に冷媒を循環供給することにより展示スペース１内が冷却される。
【０００４】
【発明が解決しようとする課題】
しかしながら、冷却パイプ３が展示スペース１内の両端部付近でのみ支持されているため、例えばスライド扉１０を開けて、展示スペース１内の食材の出し入れを行う際に手が触れると、冷却パイプ３は容易に弾性変形して振動することとなり、安定性に欠けるという問題があった。このような冷却パイプ３の振動は、展示スペース１が横に長くなればなるほど顕著になり、振動の結果、冷却パイプ３の支持部にガタを発生させる等の不具合を生じるおそれがある。
このような振動を防止するために、冷却パイプ３の中間部を天井から吊すことも考えられるが、上面がガラスから形成されている場合には、容易に天井から吊すことはできない。
本発明は以上のような問題点を解決するためになされたもので、展示スペース内に設けられた冷却パイプを安定性よく支持することができる冷蔵ショーケースを提供することを目的とする。
【０００５】
【課題を解決するための手段】
上述の目的を達成するために、本発明に係る冷蔵ショーケースは、展示スペース内の両端部付近で支持される冷却パイプを備える冷蔵ショーケースにおいて、展示スペースの中間部で天井部材を支えるフレームに冷却パイプを上方に弾性変形させた状態で支持するための支持手段を備えるものである。
支持手段は所定の間隔を有する一対の支持板を備え、それぞれの支持板が冷却パイプを支持することが好ましい。
【０００６】
【発明の実施の形態】
以下、この発明の実施の形態を添付図面に基づいて説明する。
この実施の形態に係る冷蔵ショーケースは、図１１に示した冷蔵ショーケースとほぼ同様の全体構成を有している。即ち、冷蔵ショーケースには、食材を冷蔵保存しながら展示する展示スペース１及び展示スペース１を冷却するためのコンプレッサーやコンデンサ等の冷凍回路構成部品が収納されている機械室２が互いに隣接して設けられている。展示スペース１の前部から前上部には透明なフロントガラス５が嵌め込まれ、ショーケースの前側即ち客側からフロントガラス５を通して収納された食材が見えるようになっている。また、展示スペース１の後部には透明なスライド扉１０が設けられ、このスライド扉１０を通してショーケースの後側即ち板前等の店員側から収納された食材が見えると共にスライド扉１０を開けて展示スペース１内の食材の出し入れを行うように構成されている。
【０００７】
図１にこの実施の形態に係る冷蔵ショーケースの展示スペース１の断面図を示す。展示スペース１の後部上方には展示スペース１の長さ方向に沿って天井部材１６が配置され、展示スペース１の後部中央に天井部材１６の中央部を支持するためのセンターフレーム１９が立設されている。センターフレーム１９はその上部１９ａ及び下部１９ｂが天井部材１６及び展示スペース下部の基台１２にそれぞれネジ止めされることにより固定され、センターフレーム１９の左右にそれぞれスライド扉１０が開閉自在に設けられている。センターフレーム１９は各スライド扉１０のストッパの機能をも有している。
【０００８】
センターフレーム１９には、展示スペース１内に突出する支持板２０が一体に形成されている。図２に示されるように、一対の支持板２０が所定の間隔を隔てて互いに平行に設けられており、各支持板２０の上部に上方を向いた半円形状の切り欠き２１が形成されている。スライド扉１０側に配置された冷却パイプ３の中央部がこれらの支持板２０の切り欠き２１に嵌め込まれて支持されている。
図１に示されるように、支持板２０の切り欠き２１は、本来Ｈ１の高さに配置されていた冷却パイプ３の中央部をΔＨだけ上方に弾性変形させてＨ２の高さとするような位置に形成されている。
【０００９】
図１に示されるように、天井部材１６は、フロントガラス５と係合する前部とスライド扉１０の上部に位置する後部が厚く、且つ冷却パイプ３の上方に位置する中間部が薄く形成されているので、天井部材１６との間隔を例えば１９ｍｍ以上に十分とりながらも、冷却パイプ３の取り付け位置を高く設けることができる。このため、食材の出し入れの際に冷却パイプ３に接触しにくくなり作業性が向上すると共に展示スペース１内の有効容積が増加して、より大きな食材を収納することができる。なお、天井部材１６は中間部が薄いが、前部及び後部が厚く形成されているので、フロントガラス５の重量や上方からの荷重を十分支えられる強度を有している。
【００１０】
図３に示されるように、冷却パイプ３は展示スペース１と機械室２との間を仕切る隔壁１１を貫通部３ａ及び３ｂで貫通して機械室２内に収納されている冷凍回路構成部品に接続され、冷凍回路の一部を構成している。貫通部３ａ及び３ｂにおいて、冷却パイプ３と隔壁１１との隙間にはコーキング材が充填され、展示スペース１から機械室２への冷気の洩れを防止している。また、図４に示されるように、Ｕ字形状の冷却パイプ３の折り返し部３ｃは、機械室２とは反対側の端壁４の近傍において固定具１８により天井部材１６に固定されている。
【００１１】
すなわち、図５に示すように冷却パイプ３は展示スペース１内の両端部付近に位置する貫通部３ａ及び３ｂと折り返し部３ｃで固定されると共に展示スペース１の中央部で支持板２０により支持されている。従って、冷却パイプ３は安定性よく支持され、展示スペース１内の食材を出し入れするときにスライド扉１０側の冷却パイプ３に手が触れたとしても、冷却パイプ３は弾性変形しにくく、振動することが防止される。特に、支持板２０の半円状の切り欠き２１が冷却パイプ３を下方及び前後方向から支えると共に上方にΔＨだけ弾性変形させて支持することによって下方に応力Ｆを発生させているので、手が触れた程度では冷却パイプ３は振動しない。
【００１２】
なお、センターフレーム１９に設けられた支持板２０の切り欠き２１に冷却パイプ３を上方から載せることにより支持しているので、センターフレーム１９に不都合が生じて取り替える場合には、容易に冷却パイプ３を支持板２０から外すことができる。
また、センターフレーム１９にはスライド扉１０を閉める際に衝撃力が作用し、その上部１９ａ及び下部１９ｂを固定しているネジの位置を中心として、回転モーメントが発生するが、所定の間隔を隔てた一対の支持板２０の切り欠き２１に冷却パイプ３を嵌入させて支持しているため回転モーメントが軽減され、回転モーメントに起因するネジの緩み等を緩和することができる。このような回転モーメントの軽減は、一対の支持板２０の間隔が大きいほど効果的になされる。
必要な場合には、スライド扉１０側の冷却パイプ３と同様に、フロントガラス５側の冷却パイプ３の中間部も支持板によって支持することができる。
【００１３】
なお、図６に示されるように、センターフレーム１９に設ける支持板２０を一枚としても、十分に冷却パイプ３を支持することが可能である。この場合には、部品点数の削減により省資源及び省コストを図ることができる。
また、図７に示されるように、切り欠きの代わりに貫通孔２４が形成された支持板２３をセンターフレーム１９に設けてもよい。冷却パイプ３は支持板２３の貫通孔２４に貫通され支持される。このような支持板２３を用いれば、冷却パイプ３に上方向の大きな荷重が作用しても十分に支えることができる。さらに、貫通孔２４が形成された支持板２３を一枚だけセンターフレーム１９に設けることもできる。
【００１４】
冷却パイプ３の折り返し部３ｃを固定する固定具１８として図８に示されるものを使用することができる。この固定具１８は軟質樹脂製であって、天井部材１６にネジ１３及び１４で固定される台座部１５とこの台座部１５に一体に形成され且つ冷却パイプ３の外周に沿って冷却パイプ３を固定する可撓性のバンド部１７から構成されている。
取り付け時には、まず図９に示されるように、ネジ１４で台座部１５を天井部材１６に固定し、台座部１５の凹部に冷却パイプ３を挿入した状態で冷却パイプ３の外周を取り巻くようにバンド部１７を曲げ、バンド部１７の先端フランジと共に台座部１５をもう一本のネジ１３で固定する。この固定具１８においては、一方のネジ１４が冷却パイプ３と台座部１５の間に隠れており、他方のネジ１３の頭部だけが外部に露出している。一般にネジの頭部が存在する箇所は凸凹が多いために掃除しにくいが、二本のネジ１３及び１４を使用しても一本のネジ１３の頭部のみが露出するため、冷却パイプ３と天井部材１６との間の掃除が容易となる。また、台座部１５とバンド部１７とを一体に形成したので、部品点数が減少して省コストを図ることができる。
【００１５】
また、図１０に示されるように、台座部１５にフック２５を形成し、このフック２５を天井部材１６の孔２６に引っ掛けることにより、一本のネジ１３のみで固定するようにした固定具を用いることもできる。このようにすれば、ネジの数が半減し、省資源、省コストを図ることができる。
【００１６】
【発明の効果】
展示スペース内の両端部付近で支持される冷却パイプを備える冷蔵ショーケースにおいて、展示スペースの中間部で天井部材を支えるフレームに冷却パイプを上方に弾性変形させた状態で支持するための支持手段を備えたことにより、冷却パイプの中間部も支持されることとなり、冷却パイプの支持の安定性が向上する。従って、展示スペース内の食材を出し入れするときに冷却パイプに手が触れたとしても、冷却パイプは弾性変形しにくく、振動することが防止される。
さらに、支持手段が冷却パイプを上方に弾性変形させた状態で支持することにより、下方に応力が発生するので、より堅固に冷却パイプを支持することができる。また、支持手段は所定の間隔を有する一対の支持板を備え、それぞれの支持板が冷却パイプを支持すれば、回転モーメントに起因するネジの緩み等を緩和することができる。
【図面の簡単な説明】
【図１】  本発明の実施の形態に係る冷蔵ショーケースを示す断面図である。
【図２】  実施の形態で用いられた支持板を示す斜視図である。
【図３】  隔壁に固定されている冷却パイプの貫通部を示す斜視図である。
【図４】  固定具により固定されている冷却パイプの折り返し部を示す斜視図である。
【図５】  実施の形態に係る冷蔵ショーケースを模式的に示す平面図である。
【図６】  他の実施の形態で用いられた支持板を示す斜視図である。
【図７】  さらに他の実施の形態で用いられた支持板を示す斜視図である。
【図８】  実施の形態で用いられた固定具を示し、（ａ）は正面図、（ｂ）は断面図である。
【図９】  図８の固定具の取り付け方法を示す図である。
【図１０】  固定具の変形例を示し、（ａ）は断面図、（ｂ）は平面図である。
【図１１】  従来の冷蔵ショーケースを示す斜視図である。
【図１２】  従来の冷蔵ショーケースを模式的に示す平面図である。
【符号の説明】
１…展示スペース、３…冷却パイプ、３ａ，３ｂ…貫通部、３ｃ…折り返し部、１９…センターフレーム、２０，２３…支持板、２１…切り欠き、２４…貫通孔。
【図１】
0003798666.tif 000002
【図２】
0003798666.tif 000003
【図３】
0003798666.tif 000004
【図４】
0003798666.tif 000005
【図５】
0003798666.tif 000006
【図６】
0003798666.tif 000007
【図７】
0003798666.tif 000008
【図８】
0003798666.tif 000009
【図９】
0003798666.tif 000010
【図１０】
0003798666.tif 000011
【図１１】
0003798666.tif 000012
【図１２】
0003798666.tif 000013